【事件の表示】
　平成　３年特許願第２１６２７０号「手書き画像入力装置」拒絶査定不服審判事件〔平成　５年　２月１９日出願公開、特開平　５−　４０５７２〕について、次のとおり審決する。
【結　論】
　本件審判の請求は、成り立たない。
【理　由】
【１】本願発明
　本願は、平成3年8月2日に特許出願されたものであって、その請求項1に係る発明は、平成10年1月16日付け及び平成13年9月6日付け手続補正書によって補正された明細書の特許請求の範囲に記載された次のとおりのものである。
（なお、平成13年1月15日付けの手続補正は却下され、確定した。）
「【請求項１】　
画素の集合により画像を表示する画像表示手段と、
　
前記画像表示手段の表示面の位置を指示するポインタと、
　
前記ポインタにより指示された位置を検出するデジタイザと、
　
前記ポインタから前記デジタイザに加えられる圧力を検出する圧力検出手段と、
　
前記ポインタによって指示された表示面の位置に対応する画素を表示状態にする表示制御手段と
　
を有する手書き画像入力装置において、
　
前記画像表示手段と前記デジタイザは、積層して配置されており、
　
画素の寸法が前記ポインタの先端の直径の半分以下であり、
　
前記表示制御手段は、前記圧力検出手段によって検出された圧力に応じて、表示に使用する画素の数を、前記ポインタの先端が接触する画素の数の範囲内で変化させる　
　
ことを特徴とする手書き画像入力装置。
　
【２】引用刊行物
　原査定の拒絶の理由に引用された特開昭63-296122号公報（以下「引用例」という。）には、その実施例及び図面とこれに係わる記載を参酌すると、以下のとおりの技術的事項が記載されている。
「第1図は本発明の画像データ入力装置の構成ブロック図、
　第2図は信号検出体（スタイラスペン）の構造を説明する図である。
　第1図のように画像データ入力装置は信号検出体、即ちスタイラスペン1と画台、即ちタブレット盤2とからなる。
　スタイラスペン1は第2図(a)に示すように、タブレット盤2が一定時間毎に発生するX軸、およびY軸座標を示すパルス信号をその先端部のペン先11に設けられた座標検出器12、例えば、ピックアップコイルで検出する。
　ペン先11にかかった圧力は、軸13で圧力検出部14に伝達される。
　圧力検出器14は、例えばセラミック素子のような圧力検出子で、加えられた圧力に相当する圧力電圧を発生する。
　圧力検出器14で検出された圧力電圧は、アナログ／ディジタル変換器（A/D変換器）15でディジタル化され、圧力信号に変換されて座標検出器12で検出された座標信号とともにタブレット盤2に出力される。
　第2図(b)は圧力を軸13の変位として捉え、圧力検出素子の代わりに差動トランスを用いて、変位量から圧力相応の電圧を取り出すようにしたスタイラスペンである。
　そして、スタイラスペンの圧力信号は、タブレット盤2の制御部22を経て、圧力データとして生成される。
　一方、座標信号はタブレット盤2に出力され、座標検出部21でタブレット盤面のX軸、Y軸の座標位置信号と一致点が検出され、制御部22でその座標点の座標データが作成される。
　なお、クロック発振器24はタブレット盤2の各種信号の同期をとるためのクロック信号を生成する。
　この圧力データと座標データとからなる画像データは、第3図に示す画像データ表示装置3の入出力制御部31に出力される。
　そして、画像データ表示装置3の座標データ検出部32は、画像データの座標データを、圧力データ検出部33は圧力データをそれぞれ検出する。
　圧力データ検出部33で検出された圧力データはパターンデータ選択部34に送出され、パターンデータ選択部34は、記憶部36に予め作成され、パターンデータ領域36′に格納されたパターンデータから圧力データに相応するパターンデータを選択し、描画部35に送出する。
　描画部35は、座標データ検出部32が送出した座標データ位置にそのパターンデータを配置することによって、画像表示のためのイメージデータを記憶部36に作成する。
　このイメージデータは、表示制御部37を介してディスプレイ表示装置4に送出され、そのディスプレイ画面上に表示される。
　制御部38は、画像データ表示装置3を構成する各部を制御する。
　以下、画像データ表示装置が表示する描画を更に詳細に説明する。
　上記したように、先ず予めN個のパターンデータPTi（i＝1〜N）を用意する。
　一方、画像データ入力装置、即ちタブレット盤2から一定時間間隔で入力されるt時点の画像データをPt（xt、yt、ft）とする。
　ここで、（xt、yt）はt時点のスタイラスペンの座標、ftはt時点のスタイラスペンの圧力を示す数値である。
　データPtが入力されるごとにN個の閾値によって圧力ftを分類して、それぞれPTiを割り当て、ディスプレイ表示装置4の画面上の（xt、yt）に対応する位置にPT1を描画する。
　以下、画像データ入力方法を説明すると、操作者はタブレット盤上にスタイラスペン1を筆のように操作する。
　即ち、第5図に示すように、筆5の軸51が穂先52にかかる圧力の強弱によって、穂先52はA、B、C、Dの4段階に穂先52が撓み、字の太さが変わるものとする。
　この穂先52の撓みに対応する穂先52と記録される紙面との接触状態を第5図に示す。
　穂先52にかかる圧力、即ち、スタイラスペン1とタブレット盤2の圧力が、穂先52の撓みに相応するA、B、C、Dの4段階に変化すると、第5図の穂先52と紙面との接触面積に相当してそれぞれのパターンデータは、第6図のパターンA、B、C、Dのように所定のパターン領域におけるドットの多少で表現される。
　スタイラスペン1の筆感覚は、第2図のバネ16の撓みで得られる。
　例えば、スタイラスペン1を第7図(a)のようにイ、ロ、ハ、ニと座標点を移動し、且つそれぞれの座標点における圧力をD、C、B、Aとした場合、座標点イにパターンDが対応し、ロにはC、ハにはB、ニにはAが対応する。
　従って、描画される画像は、第8図(b)で示すようにあたかも筆で書いたように文字の太さを表示することができる。
　そして、スタイラスペン1の圧力の段階数、それぞれの圧力に対応するパターンの数、ドットで表されるパターンの形を組み合わせることによって、筆書き感覚、あるいは穂先の形による微妙に変化する画像が、スタイラスペン1でタブレット盤上に描きながら入力し、且つその画像を表示できる。」（第2頁右下欄第2行〜第4頁左上欄第5行、第1〜7図参照）
　
【３】対比・判断
（対比）
　本願の請求項1に係る発明（以下「本願発明」という。）と上記引用例に記載された発明とを対比すると、引用例に記載された「ドット」「ディスプレイ表示装置(4)」「スタイラスペン(1)」「タブレット盤(2)」及び「画像データ入力装置、画像データ表示装置」は、それぞれ本願発明における「画素」「画像表示手段」「ポインタ」「デジタイザ」及び「手書き画像入力装置」に相当するから、両者は、以下のとおりの一致点及び相違点を有するものと認められる。
（一致点）
「画素の集合により画像を表示する画像表示手段と、
　位置を指示するポインタと、
　前記ポインタにより指示された位置を検出するデジタイザと、
　前記ポインタから前記デジタイザに加えられる圧力を検出する圧力検出手段と、
　前記ポインタによって指示された位置に対応する画素を表示状態にする表示制御手段と
　を有する手書き画像入力装置において、
　前記表示制御手段は、前記圧力検出手段によって検出された圧力に応じて、表示に使用する画素の数を、変化させる、手書き画像入力装置。」
（相違点）
（i）本願発明にあっては、画像表示手段とデジタイザは積層して配置されており、ポインタは画像表示手段の表示面の位置を指示するものであるのに対して、引用例にあっては、このように構成されていない点。
（ii）本願発明にあっては、画素の寸法がポインタの先端の直径の半分以下であり、また、圧力に応じて、表示に使用する画素の数を、ポインタの先端が接触する画素の数の範囲内で変化させるのに対して、引用例にあっては、画素とスタイラスペン（ポインタ）のペン先の寸法の関連構成が明らかでなく、また、単に圧力に応じて、表示に使用する画素の数を変化させるものである点。
（検討）
　前記相違点について、以下に検討する。
　相違点(i)について、画像表示手段（CRT、LCD）と、画像表示手段の表示面の位置を指示するポインタ（手操作器具、入力ペン）と、デジタイザ（入力盤）と、表示面線幅の調整手段（筆圧検出部、等級指定手段）と、ポインタによって指示された位置に対応する画像表示手段の表示面の位置を表示状態にする表示制御手段（CPU、LCDコントローラ）とを有する手書き画像入力装置において、ポインタ（手操作器具、入力ペン）は画像表示手段（CRT、LCD）の表示面の位置を指示するように「画像表示手段とデジタイザを積層して配置する」構成は周知の技術的事項（例えば、特開平3-118628号公報、特開平3-174876号公報参照）であるから、上記引用例に記載されたものにおいても、前記周知の技術的事項を参酌して、本願発明のように積層配置してポインタで画像表示手段の表示面の位置を指示するように構成することは、当業者が容易になし得ることである。
　相違点(ii)について、本願発明において、画素の寸法を「ポインタの先端の直径の半分以下」となし「圧力に応じて、表示に使用する画素の数を、ポインタの先端が接触する画素の数の範囲内で変化させる」ことの技術的意義は、本願明細書の記載によれば、「従来の手書き画像入力装置は、……、ポインタから表示面に加えられる圧力すなわち筆圧を検出する圧力検出手段が設けられており、筆圧に応じて表示線幅を変化させるように構成されている。」（段落【0002】）ものの、「画素の寸法がポインタの先端の直径より大きいため、ユーザが予期していた線より太い線が表示されるので、
ユーザの筆圧に忠実な表示を行うことができず
ポインタの圧力に忠実に表示線の幅を変化させる
ポインタの圧力に忠実に表示線の幅を変化させる
　しかしながら、引用例においても、画素の寸法とスタイラスペン（ポインタ）のペン先(11)の寸法の具体的な関連構成は記載されていないものの、スタイラスペン（ポインタ）の圧力に応じて、表示に使用する画素の数を変化させることにより「圧力に対応するパターンの数、ドットで表されるパターンの形を組み合わせることによって、筆書き感覚、あるいは穂先の形による微妙に変化する画像が、スタイラスペン1でタブレット盤上に描きながら入力し、且つその画像を表示できる。」（刊行物第3頁右下欄第20行〜第4頁左上欄第5行参照）ものであり、両者の目的・作用効果、乃至は技術的意義に格別の差異を有するものとは認められない。
　そして、従来から手書き画像入力装置においては、その画像表示手段とポインタとして（本願発明の実施例のように）液晶表示装置とペンが使用されており、該液晶表示装置の画素の寸法はペンの先端の直径より小さく、実際上半分以下となることも普通のことであり、また前記した技術的意義（「
ポインタの圧力に忠実に表示線の幅を変化させる
　また、本願発明により奏する作用効果も、当業者が予測し得る程度のものであって格別のものとは認められない。
　
【４】むすび
　以上のとおりであって、本願の請求項1に係る発明は、上記引用例に記載された発明及び周知の技術的事項に基づいて当業者が容易に発明をすることができたものと認められるから、特許法第29条第2項の規定により特許を受けることができない。
　よって、結論のとおり審決する。